(57)【要約】      （修正有）【課題】軽度の負荷と重度の負荷の異なる負荷状況に応じて異なる給電モードを使用し、給電効率を高めつつ省エネを達成させるデュアル出力電源供給装置を提供する。【解決手段】デュアル出力電源供給装置は、直流入力電圧によって第一直流出力電圧を発生させて第一負荷を駆動させる第一電力変換ユニットと、直流入力電圧によって第二直流出力電圧を発生させて第二負荷を駆動させる第二電力変換ユニットと、チャンネルの両端が第一直流出力電圧及び第二直流出力電圧にそれぞれ接続されるスイッチユニットと、第一負荷及び第二負荷のパワーの合計の測定に用いられる負荷パワー測定ユニットと、スイッチユニット及び負荷パワー測定ユニットに接続され、パワーの合計に基づいてスイッチ信号を決定させ、スイッチユニットの制御端を駆動させるデジタルマイクロコントローラユニットと、を備える。【選択図】図１
0003221728.tif 000002
【実用新案登録請求の範囲】
【請求項１】
直流入力電圧によって第一負荷を駆動させるために用いられる第一直流出力電圧を発生させる第一電力変換ユニットと、
前記直流入力電圧によって第二直流出力電圧を発生させ、前記第二直流出力電圧の電位は前記第一直流出力電圧の電位より低く、且つ前記第二直流出力電圧は第二負荷を駆動させるために用いられる第二電力変換ユニットと、
チャンネル及び制御端を有し、前記チャンネルの両端は前記第一直流出力電圧及び前記第二直流出力電圧にそれぞれ接続されるスイッチユニットと、
前記第一負荷の第一パワー及び前記第二負荷の第二パワーの測定に用いられる負荷パワー測定ユニットと、
前記スイッチユニット及び前記負荷パワー測定ユニットに接続され、前記第一パワー及び前記第二パワーの合計に基づいてスイッチ信号を決定させて前記スイッチユニットの前記制御端を駆動させ、前記合計が閾値以下である場合、前記スイッチ信号が不作動状態となって前記スイッチユニットが切断され、前記合計が前記閾値より大きい場合、前記スイッチ信号が作動状態となって前記スイッチユニットを導通させるデジタルマイクロコントローラユニットと、を備えることを特徴とするデュアル出力電源供給装置。
【請求項２】
前記第一電力変換ユニットは変換型電力変換ユニットであることを特徴とする請求項１に記載のデュアル出力電源供給装置。
【請求項３】
前記第二電力変換ユニットは変換型電力変換ユニットであることを特徴とする請求項１に記載のデュアル出力電源供給装置。
【請求項４】
前記第一電力変換ユニットは、前記第一直流出力電圧を出力させるための出力端を有することを特徴とする請求項１に記載のデュアル出力電源供給装置。
【請求項５】
前記第一電力変換ユニットは第一出力端及び第二出力端を有し、前記第一出力端及び前記第二出力端は共に前記第一直流出力電圧を出力させ、且つ前記第一出力端は前記第一負荷に接続され、前記第二出力端は前記スイッチユニットの前記チャンネルに接続されることを特徴とする請求項１に記載のデュアル出力電源供給装置。
【請求項６】
前記スイッチユニットはパワートランジスタを備えることを特徴とする請求項１に記載のデュアル出力電源供給装置。
【請求項７】
前記デジタルマイクロコントローラユニットは制御プログラムを保存するためのメモリーユニットを有することを特徴とする請求項１に記載のデュアル出力電源供給装置。
【考案の詳細な説明】
【技術分野】
【０００１】
本考案は、電源供給装置に関し、更に詳しくは、デュアル出力電源供給装置に関する。
【背景技術】
【０００２】
各種電源変換器の応用において、電源変換効率に対しては様々な要求がある。目下既知のエネルギー効率ランクはスタンダード、ブロンズ、シルバー、ゴールド、プラチナ、チタン等の５段階のランクに分けられる。そのうちのチタンが最高ランクに位置し、特に１０％の負荷が要求される状況でエネルギー効率値が規定を満たさねばならない。他の４つのランクは２０％、５０％、１００％の負荷が要求される条件下で規定のエネルギー効率値を達成させねばならない。
【考案の概要】
【考案が解決しようとする課題】
【０００３】
しかしながら、前述した従来の技術では、軽度の負荷から重度の負荷まで全て規定のエネルギー効率値を達成させることは容易ではなかった。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、デュアル出力電源供給装置を提供することを主目的とする。すなわち、１つのデジタルマイクロコントローラユニットが２つの負荷のパワーの合計に反応することで、軽度の負荷及び重度の負荷という異なる負荷状況に応じて２種類の異なる給電モードを使用することで、給電効率を高めつつ省エネを達成させる。
【課題を解決するための手段】
【０００６】
上記課題を解決するために、本考案のある態様のデュアル出力電源供給装置は、直流入力電圧によって第一負荷を駆動させるために用いられる第一直流出力電圧を発生させる第一電力変換ユニットと、前記直流入力電圧によって第二直流出力電圧を発生させ、前記第二直流出力電圧の電位は前記第一直流出力電圧の電位より低く、且つ前記第二直流出力電圧は第二負荷を駆動させるために用いられる第二電力変換ユニットと、チャンネル及び制御端を有し、前記チャンネルの両端は前記第一直流出力電圧及び前記第二直流出力電圧にそれぞれ接続されるスイッチユニットと、前記第一負荷の第一パワー及び前記第二負荷の第二パワーの測定に用いられる負荷パワー測定ユニットと、前記スイッチユニット及び前記負荷パワー測定ユニットに接続され、前記第一パワー及び前記第二パワーの合計に基づいてスイッチ信号を決定させて前記スイッチユニットの前記制御端を駆動させ、前記合計が閾値以下である場合、前記スイッチ信号が不作動状態となって前記スイッチユニットが切断され、前記合計が前記閾値より大きい場合、前記スイッチ信号が作動状態となって前記スイッチユニットを導通させるデジタルマイクロコントローラユニットと、を備える。
【０００７】
好ましい実施形態では、前記第一電力変換ユニットは変換型電力変換ユニットである。
【０００８】
好ましい実施形態では、前記第二電力変換ユニットは変換型電力変換ユニットである。
【０００９】
好ましい実施形態では、前記第一電力変換ユニットは、前記第一直流出力電圧を出力させるための出力端を有する。
【００１０】
好ましい実施形態では、前記第一電力変換ユニットは第一出力端及び第二出力端を有し、前記第一出力端及び前記第二出力端は共に前記第一直流出力電圧を出力させ、且つ前記第一出力端は前記第一負荷に接続され、前記第二出力端は前記スイッチユニットの前記チャンネルに接続される。
【００１１】
好ましい実施形態では、前記スイッチユニットはパワートランジスタを備える。
【００１２】
好ましい実施形態では、前記デジタルマイクロコントローラユニットは、制御プログラムを保存するためのメモリーユニットを有する。
【図面の簡単な説明】
【００１３】
【図１】本考案の一実施形態に係るデュアル出力電源供給装置を示すブロック図である。
【考案を実施するための形態】
【００１４】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１５】
図１は本考案の一実施形態に係るデュアル出力電源供給装置を示すブロック図である。前記デュアル出力電源供給装置は、第一電力変換ユニット１００と、第二電力変換ユニット１１０と、スイッチユニット１２０と、負荷パワー測定ユニット１３０と、デジタルマイクロコントローラユニット１４０と、を備える。
【００１６】
第一電力変換ユニット１００は変換型電力変換ユニットであり、直流入力電圧ＶＩＮによって第一負荷２０１を駆動させるために用いられる第一直流出力電圧ＶＯ１を発生させる。
【００１７】
第二電力変換ユニット１１０は変換型電力変換ユニットであり、前記直流入力電圧ＶＩＮによって第二直流出力電圧ＶＯ２を発生させる。前記第二直流出力電圧ＶＯ２の電位は前記第一直流出力電圧ＶＯ１の電位より低く、且つ第二負荷２０２を駆動させるために用いられる。
【００１８】
スイッチユニット１２０はチャンネル及び制御端を有するパワートランジスタを備え、前記チャンネルの両端は前記第一直流出力電圧ＶＯ１及び前記第二直流出力電圧ＶＯ２にそれぞれ接続される。
【００１９】
負荷パワー測定ユニット１３０は前記第一負荷２０１の第一パワー及び前記第二負荷２０２の第二パワーの測定に用いられる。
【００２０】
デジタルマイクロコントローラユニット１４０は制御プログラムを保存するためのメモリーユニットを有する。前記デジタルマイクロコントローラユニット１４０は前記スイッチユニット１２０及び前記負荷パワー測定ユニット１３０に接続され、前記第一パワー及び前記第二パワーの合計に基づいてスイッチ信号ＳＷを決定させ、前記スイッチユニット１２０の前記制御端を駆動させる。前記合計が閾値以下の場合、前記スイッチ信号ＳＷが不作動状態（例えば、低ロジック電位）となって前記スイッチユニット１２０が切断される。前記合計が前記閾値より高い場合、前記スイッチ信号ＳＷが作動状態（例えば、高ロジック電位）となって前記スイッチユニット１２０を導通させる。
【００２１】
また、可能な実施形態では、前記第一電力変換ユニット１００は前記第一直流出力電圧ＶＯ１を出力させるための出力端を有し、或いは第一出力端及び第二出力端を有する。前記第一出力端及び前記第二出力端は共に前記第一直流出力電圧ＶＯ１を出力させ、且つ前記第一出力端係は前記第一負荷２０１に接続され、前記第二出力端は前記スイッチユニット１２０の前記チャンネルに接続される。
【００２２】
上述のように、前述の設計により、本考案に係るデュアル出力電源供給装置はデジタルマイクロコントローラユニットが２つの負荷のパワーの合計に反応することで、軽度の負荷及び重度の負荷の異なる負荷状況に応じるように２種類の異なる給電モードを使用し、給電効率を高めつつ省エネを達成させる。
【００２３】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２４】
１００  第一電力変換ユニット
１１０  第二電力変換ユニット
１２０  スイッチユニット
１３０  負荷パワー測定ユニット
１４０  デジタルマイクロコントローラユニット
２０１  第一負荷
２０２  第二負荷
【図１】
0003221728.tif 000003